(57)【特許請求の範囲】
【請求項１】
直交周波数分割多重化システムにおけるチャネル推定方法であって、
直交周波数分割多重化システムの帯域幅内の物理リソースブロックをグループに分けるステップＡと、
分けられたグループから少なくとも一つのグループを抽出してチャネル推定を行い、チャネル係数を取得し、その中、抽出したグループ数が総グループ数より少ないステップＢと、
取得したチャネル係数を利用して、マルチ入力マルチ出力（ＭＩＭＯ）復調を完了するステップＣと、
グループへのチャネル推定が完了したかどうかを判断し、完了であれば、終了し、さもなければ、ステップＢに戻すステップＤと、
を含み、
前記チャネル推定は、
参照信号箇所のチャネル係数を推定するステップと、
第一回の時間領域補間を行い、参照信号を含む直交周波数分割多重（ＯＦＤＭ）符号における参照信号の密度を１／３に変え、参照信号を含むＯＦＤＭ符号におけるリソース要素のチャネル係数を計算するステップと、
参照信号を含むＯＦＤＭ符号に対して、３倍のアップサンプリング周波数領域補間を行い、参照信号を含むＯＦＤＭ符号におけるチャネル係数を取得するステップと、
第二回の時間領域補間を行い、参照信号を含むＯＦＤＭ符号におけるチャネル係数を利用して、参照信号を含まないＯＦＤＭ符号のチャネル係数を計算することで、すべてのＯＦＤＭ符号におけるチャネル係数を取得するステップと、
を含むことを特徴とする直交周波数分割多重化システムにおけるチャネル推定方法。
【請求項２】
前記リソース要素のチャネル係数の計算は、
リソース要素の情報を区別し、且つリソース要素の情報に基づき、リソース要素のチャネル係数を計算するステップを含むことを特徴とする請求項１に記載の直交周波数分割多重化システムにおけるチャネル推定方法。
【請求項３】
前記チャネル推定は計算式
【数１】
0005548785.tif 000023
によって行われ、
前記
【数２】
0005548785.tif 000024
で、
【数３】
0005548785.tif 000025
で、
【数４】
0005548785.tif 000026
であり、
【数５】
0005548785.tif 000027
は単一のサブフレーム内のＯＦＤＭ符号の数であり、
【数６】
0005548785.tif 000028
は修正する前の現在のサブフレームのＯＦＤＭ符号における第ｋ番目のサブ搬送波のチャネル推定値を表し、
【数７】
0005548785.tif 000029
は修正した後の現在のサブフレームのＯＦＤＭ符号における第ｋ番目のサブ搬送波のチャネル推定値を表し、ｉは現在のサブフレームを表し、ｉ−１は一つ前のサブフレームを表し、ｋはサブ搬送波の配列位置であることを特徴とする請求項２に記載の直交周波数分割多重化システムにおけるチャネル推定方法。
【請求項４】
前記リソース要素の情報を区別し、且つリソース要素の情報に基づきリソース要素のチャネル係数を計算するステップは、
現在のサブフレーム内の第一番目のＯＦＤＭ符号におけるリソース要素であるかどうかを判断し、
そうであれば、リソース要素の一つ前のサブフレームがダウンリンクサブフレームであるかどうかを判断し、ダウンリンクサブフレームであれば、前記リソース要素の一つ前のリソース要素及び一つ後ろのリソース要素のチャネル係数を利用して、前記リソース要素のチャネル係数を線状補間し、ダウンリンクサブフレームでなければ、前記リソース要素の後の二つのリソース要素のチャネル係数を利用して、線状予測して取得し、
現在のサブフレーム内の第一番目のＯＦＤＭ符号におけるリソース要素でなければ、前記リソース要素の一つ前のリソース要素及び一つ後ろのリソース要素のチャネル係数を利用して、前記リソース要素のチャネル係数を線状補間することを含むことを特徴とする請求項２に記載の直交周波数分割多重化システムにおけるチャネル推定方法。
【請求項５】
直交周波数分割多重化システムにおけるチャネル推定方法であって、
直交周波数分割多重化システムの帯域幅内の物理リソースブロックをグループに分けるステップＡと、
分けられたグループから少なくとも一つのグループを抽出してチャネル推定を行い、チャネル係数を取得し、その中、抽出したグループ数が総グループ数より少ないステップＢと、
取得したチャネル係数を利用して、マルチ入力マルチ出力（ＭＩＭＯ）復調を完了するステップＣと、
グループへのチャネル推定が完了したかどうかを判断し、完了であれば、終了し、さもなければ、ステップＢに戻すステップＤと、
を含み、
前記チャネル推定は、
参照信号箇所のチャネル係数を推定するステップと、
参照信号を含むＯＦＤＭ符号に対して、６倍のアップサンプリング周波数領域補間を行い、参照信号を含むＯＦＤＭ符号におけるチャネル係数を取得するステップと、
第一回の時間領域補間を行い、参照信号を含むＯＦＤＭ符号におけるチャネル係数を修正するステップと、
第二回の時間領域補間を行い、参照信号を含むＯＦＤＭ符号におけるチャネル係数を利用して、参照信号を含まないＯＦＤＭ符号のチャネル係数を計算することで、すべてのＯＦＤＭ符号におけるチャネル係数を取得するステップと、
を含むことを特徴とする直交周波数分割多重化システムにおけるチャネル推定方法。
【請求項６】
直交周波数分割多重化システムにおけるチャネル推定装置であって、
直交周波数分割多重化システムの帯域幅内の物理リソースブロックをグループに分けるグループ分けモジュールと、
分けられたグループから少なくとも一つのグループを抽出してチャネル推定を行い、チャネル係数を取得し、その中、抽出したグループ数が総グループ数より少ない抽出推定モジュールと、
取得したチャネル係数を利用して、ＭＩＭＯ復調を完了するチェックモジュールと、
分けられたグループへのチャネル推定が完了したかどうかを判断し、チャネル推定が未完了の時、抽出推定モジュールに引き続き分けられたグループを抽出してチャネル推定を行うように通知する判断モジュールと、
を含み、
前記抽出推定モジュールは、
参照信号箇所のチャネル係数を推定する第一推定ユニットと、
第一回の時間領域補間を行い、参照信号を含むＯＦＤＭ符号における参照信号の密度を１／３に変え、参照信号を含むＯＦＤＭ符号におけるリソース要素のチャネル係数を計算する第一時間領域補間ユニットと、
参照信号を含むＯＦＤＭ符号に対して、３倍のアップサンプリングの周波数領域補間を行い、参照信号を含むＯＦＤＭ符号におけるチャネル係数を取得する第一周波数領域補間ユニットと、
第二回の時間領域補間を行い、参照信号を含むＯＦＤＭ符号におけるチャネル係数を利用して、参照信号を含まないＯＦＤＭ符号のチャネル係数を計算することで、すべてのＯＦＤＭ符号におけるチャネル係数を取得する第二時間領域補間ユニットと、
を含むことを特徴とする直交周波数分割多重化システムにおけるチャネル推定装置。
【請求項７】
前記第一時間領域補間ユニットは、
現在のサブフレーム内の第一番目のＯＦＤＭ符号におけるリソース要素であるかどうかを判断する第一判断サブユニットと、
現在のサブフレーム内の第一番目のＯＦＤＭ符号におけるリソース要素の一つ前のサブフレームがダウンリンクサブフレームであるかどうかを判断する第二判断サブユニットと、
前記リソース要素の一つ前のリソース要素及び一つ後ろのリソース要素のチャネル係数を利用して、前記リソース要素のチャネル係数を線状補間する第一計算サブユニットと、
前記リソース要素の後の二つのリソース要素のチャネル係数を利用して、線状予測して取得する第二計算サブユニットと、
を含むことを特徴とする請求項６に記載の直交周波数分割多重化システムにおけるチャネル推定装置。
【請求項８】
直交周波数分割多重化システムにおけるチャネル推定装置であって、
直交周波数分割多重化システムの帯域幅内の物理リソースブロックをグループに分けるグループ分けモジュールと、
分けられたグループから少なくとも一つのグループを抽出してチャネル推定を行い、チャネル係数を取得し、その中、抽出したグループ数が総グループ数より少ない抽出推定モジュールと、
取得したチャネル係数を利用して、ＭＩＭＯ復調を完了するチェックモジュールと、
分けられたグループへのチャネル推定が完了したかどうかを判断し、チャネル推定が未完了の時、抽出推定モジュールに引き続き分けられたグループを抽出してチャネル推定を行うように通知する判断モジュールと、
を含み、
前記抽出推定モジュールは、
参照信号箇所のチャネル係数を推定する第二推定ユニットと、
参照信号を含むＯＦＤＭ符号に対して、６倍のアップサンプリング周波数領域補間を行い、参照信号を含むＯＦＤＭ符号におけるチャネル係数を取得する第二周波数領域補間ユニットと、
第一回の時間領域補間を行い、参照信号を含むＯＦＤＭ符号におけるチャネル係数を修正する第三時間領域補間ユニットと、
第二回の時間領域補間を行い、参照信号を含むＯＦＤＭ符号におけるチャネル係数を利用して、参照信号を含まないＯＦＤＭ符号のチャネル係数を計算することで、すべてのＯＦＤＭ符号におけるチャネル係数を取得する第四時間領域補間ユニットと、
を含むことを特徴とする直交周波数分割多重化システムにおけるチャネル推定装置。
【発明の詳細な説明】
【技術分野】
【０００１】
本発明はチャネル推定技術に関し、特に直交周波数分割多重化システムにおけるチャネル推定方法及び装置に関する。
【背景技術】
【０００２】
無線通信システムにおいて、チャネル推定が不可欠である。レシーバーエンドで、信号検出や各種のパラメーターの測定ともまずチャネルを相応に推定する必要があり、次に推定したチャネル係数を利用して信号検出等の操作を行う。３ＧＰＰ（３ｒｄ  Ｇｅｎｅｒａｔｉｏｎ  Ｐａｒｔｎｅｒｓｈｉｐ  Ｐｒｏｊｅｃｔ、第３世代（３Ｇ）移動体通信システムの標準化プロジェクト）ＬＴＥ（Ｌｏｎｇ  Ｔｅｒｍ  Ｅｖｏｌｕｔｉｏｎ、長期的な進化）システムにおいて、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ、直交周波数分割多元接続）技術を採用し、このため、時間領域と周波数領域のチャネルを推定する必要がある。
【０００３】
ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、直交周波数分割多重）システムチャネル推定は理論上で２次元のウイナー推定器を最適推定器とし、且つ推定器でＯＦＤＭシステムにおけるすべてのサブ搬送波に対してチャネル推定を行える。
【０００４】
現在、通常に利用するＬＴＥ端末のチャネル推定方法は主に二種類がある：
一、時間領域補間が先行し、周波数領域補間が後続する方法であり、各ＯＦＤＭ符号のチャネル推定について、３倍のアップサンプリングの周波数領域補間によって動的計算でき、この方法は周波数領域補間の回数が多すぎるので、計算上の複雑度が非常に高くなることを引き起こす。
【０００５】
二、周波数領域補間が先行し、時間領域補間が後続する方法であり、ＲＳ（ｒｅｆｅｒｅｎｃｅ  ｓｉｇｎａｌ、参照信号）を含むＯＦＤＭ符号について、６倍のアップサンプリング周波数領域補間の方法を採用でき、且つ補間の結果を利用して、ＲＳを含まないＯＦＤＭ符号におけるチャネル推定を計算する。この方法の欠陥は一方、周波数領域補間の結果を保存することが必要となるので、記憶量が多く、他方、周波数領域補間が６倍のアップサンプリングの方法を採用し、特に周波数の選択性が強いチャネルの条件下で、チャネル推定性能の損失が大きくなることにある。
【発明の概要】
【発明が解決しようとする課題】
【０００６】
発明内容
本発明の目的の一つは直交周波数分割多重化システムにおけるチャネル推定方法及び装置を提供し、記憶の共有を実現でき、記憶量を節約することにある。
【課題を解決するための手段】
【０００７】
上記目的を実現するために、本発明の技術案はこのように実現される：
本発明は直交周波数分割多重化システムにおけるチャネル推定方法を提供し、
直交周波数分割多重化システムの帯域幅内の物理リソースブロックをグループに分けるステップＡと、
分けられたグループから少なくとも一つのグループを抽出してチャネル推定を行い、チャネル係数を取得し、その中、抽出したグループ数を総グループ数より少なくするステップＢと、
取得したチャネル係数を利用し、マルチ入力マルチ出力（ＭＩＭＯ）復調を完了するステップＣと、
グループのチャネル推定が完了したかどうかを判断し、完了であれば、終了し、さもなければ、ステップＢに戻すステップＤとを含み、
前記チャネル推定は、
参照信号箇所のチャネル係数を推定するステップと、
第一回の時間領域補間を行い、参照信号を含む直交周波数分割多重（ＯＦＤＭ）符号における参照信号の密度を１／３に変え、参照信号を含むＯＦＤＭ符号におけるリソース要素のチャネル係数を計算するステップと、
参照信号を含むＯＦＤＭ符号に対して、３倍のアップサンプリング周波数領域補間を行い、参照信号を含むＯＦＤＭ符号におけるチャネル係数を取得するステップと、
第二回の時間領域補間を行い、参照信号を含むＯＦＤＭ符号におけるチャネル係数を利用し、参照信号を含まないＯＦＤＭ符号のチャネル係数を計算することで、すべてのＯＦＤＭ符号におけるチャネル係数を取得するステップとを含む。
【０００９】
前記リソース要素のチャネル係数の計算は、
リソース要素の情報を区別し、且つリソース要素の情報に基づき、リソース要素のチャネル係数を計算するステップを含む。
【００１０】
前記チャネル推定は計算式
【００１１】
【数１】
0005548785.tif 000002
【００１２】
によって行われ、
前記
【００１３】
【数２】
0005548785.tif 000003
【００１４】
で、
【００１５】
【数３】
0005548785.tif 000004
【００１６】
で、
【００１７】
【数４】
0005548785.tif 000005
【００１８】
であり、
【００１９】
【数５】
0005548785.tif 000006
【００２０】
は単一のサブフレーム内のＯＦＤＭ符号の数であり、
【００２１】
【数６】
0005548785.tif 000007
【００２２】
は修正する前の現在のサブフレームのＯＦＤＭ符号における第ｋ番目のサブ搬送波のチャネル推定値を表し、
【００２３】
【数７】
0005548785.tif 000008
【００２４】
は修正した後の現在のサブフレームのＯＦＤＭ符号における第ｋ番目のサブ搬送波のチャネル推定値を表し、ｉは現在のサブフレームを表し、ｉ−１は一つ前のサブフレームを表し、ｋはサブ搬送波の配列位置である。
【００２５】
前記リソース要素の情報を区別し、且つリソース要素の情報に基づきリソース要素のチャネル係数を計算するステップは、
現在のサブフレーム内の第一番目のＯＦＤＭ符号におけるリソース要素であるかどうかを判断し、
そうであれば、リソース要素の一つ前のサブフレームがダウンリンクサブフレームであるかどうかを判断し、ダウンリンクサブフレームであれば、前記リソース要素の一つ前のリソース要素及び一つ後ろのリソース要素のチャネル係数を利用し、前記リソース要素のチャネル係数を線状補間し、ダウンリンクサブフレームでなければ、前記リソース要素の後の二つのリソース要素のチャネル係数を利用し、線状予測して取得し、
現在のサブフレーム内の第一番目のＯＦＤＭ符号におけるリソース要素でなければ、前記リソース要素の一つ前のリソース要素及び一つ後ろのリソース要素のチャネル係数を利用し、前記リソース要素のチャネル係数を線状補間することを含む。
【００２６】
本発明は更に直交周波数分割多重化システムにおけるチャネル推定方法を提供し、
直交周波数分割多重化システムの帯域幅内の物理リソースブロックをグループに分けるステップＡと、
分けられたグループから少なくとも一つのグループを抽出してチャネル推定を行い、チャネル係数を取得し、その中、抽出したグループ数を総グループ数より少なくするステップＢと、
取得したチャネル係数を利用し、マルチ入力マルチ出力（ＭＩＭＯ）復調を完了するステップＣと、
グループのチャネル推定が完了したかどうかを判断し、完了であれば、終了し、さもなければ、ステップＢに戻すステップＤとを含み、
前記チャネル推定は、
参照信号箇所のチャネル係数を推定するステップと、
参照信号を含むＯＦＤＭ符号に対して、６倍のアップサンプリング周波数領域補間を行い、参照信号を含むＯＦＤＭ符号におけるチャネル係数を取得するステップと、
第一回の時間領域補間を行い、参照信号を含むＯＦＤＭ符号におけるチャネル係数を修正するステップと、
第二回の時間領域補間を行い、参照信号を含むＯＦＤＭ符号におけるチャネル係数を利用して、参照信号を含まないＯＦＤＭ符号のチャネル係数を計算することで、すべてのＯＦＤＭ符号におけるチャネル係数を取得するステップとを含む。
【００２７】
本発明は更に直交周波数分割多重化システムにおけるチャネル推定装置を提供し、
直交周波数分割多重化システムの帯域幅内の物理リソースブロックをグループに分けるグループ分けモジュールと、
分けられたグループから少なくとも一つのグループを抽出してチャネル推定を行い、チャネル係数を取得し、その中、抽出したグループ数を総グループ数より少なくする抽出推定モジュールと、
取得したチャネル係数を利用し、ＭＩＭＯ復調を完了するチェックモジュールと、
グループへのチャネル推定が完了したかどうかを判断し、チャネル推定が未完了の時、抽出推定モジュールに引き続きグループを抽出してチャネル推定を行うように通知する判断モジュールとを含み、
前記抽出推定モジュールは、
参照信号箇所のチャネル係数を推定する第一推定ユニットと、
第一回の時間領域補間を行い、参照信号を含むＯＦＤＭ符号における参照信号の密度を１／３に変え、参照信号を含むＯＦＤＭ符号におけるリソース要素のチャネル係数を計算する第一時間領域補間ユニットと、
参照信号を含むＯＦＤＭ符号に対して、３倍のアップサンプリングの周波数領域補間を行い、参照信号を含むＯＦＤＭ符号におけるチャネル係数を取得する第一周波数領域補間ユニットと、
第二回の時間領域補間を行い、参照信号を含むＯＦＤＭ符号におけるチャネル係数を利用し、参照信号を含まないＯＦＤＭ符号のチャネル係数を計算することで、すべてのＯＦＤＭ符号におけるチャネル係数を取得する第二時間領域補間ユニットとを含む。
【００２９】
前記第一時間領域補間ユニットは、
現在のサブフレーム内の第一番目のＯＦＤＭ符号におけるリソース要素であるかどうかを判断する第一判断サブユニットと、
現在のサブフレーム内の第一番目のＯＦＤＭ符号におけるリソース要素の一つ前のサブフレームがダウンリンクサブフレームであるかどうかを判断する第二判断サブユニットと、
前記リソース要素の一つ前のリソース要素及び一つ後ろのリソース要素のチャネル係数を利用し、前記リソース要素のチャネル係数を線状補間する第一計算サブユニットと、
前記リソース要素の後の二つのリソース要素のチャネル係数を利用し、線状測定して取得する第二計算サブユニットとを含むことを特徴とする。
【００３０】
本発明は更に直交周波数分割多重化システムにおけるチャネル推定装置を提供し、
直交周波数分割多重化システムの帯域幅内の物理リソースブロックをグループに分けるグループ分けモジュールと、
分けられたグループから少なくとも一つのグループを抽出してチャネル推定を行い、チャネル係数を取得し、その中、抽出したグループ数を総グループ数より少なくする抽出推定モジュールと、
取得したチャネル係数を利用し、ＭＩＭＯ復調を完了するチェックモジュールと、
グループへのチャネル推定が完了したかどうかを判断し、チャネル推定が未完了の時、抽出推定モジュールに引き続きグループを抽出してチャネル推定を行うように通知する判断モジュールとを含み、
前記抽出推定モジュールは、
参照信号箇所のチャネル係数を推定する第二推定ユニットと、
参照信号を含むＯＦＤＭ符号に対して、６倍のアップサンプリング周波数領域補間を行い、参照信号を含むＯＦＤＭ符号におけるチャネル係数を取得する第二周波数領域補間ユニットと、
第一回の時間領域補間を行い、参照信号を含むＯＦＤＭ符号におけるチャネル係数を修正する第三時間領域補間ユニットと、
第二回の時間領域補間を行い、参照信号を含むＯＦＤＭ符号におけるチャネル係数を利用し、参照信号を含まないＯＦＤＭ符号におけるチャネル係数を計算することで、すべてのＯＦＤＭ符号におけるチャネル係数を取得する第四時間領域補間ユニットとを含む。
【００３１】
本発明による直交周波数分割多重化システムにおけるチャネル推定方法及び装置はまず直交周波数分割多重化システムの帯域幅内の物理リソースブロックをグループに分け、次に各グループのリソースブロックに対して、順次単独にチャネル推定処理を行い、記憶の共有を実現するようにすることで、記憶量を節約することになる。
【図面の簡単な説明】
【００３２】
【図１】図１は本発明の一つの実施例中の直交周波数分割多重化システムにおけるチャネル推定方法のステップフロー模式図である。
【図２】図２は本発明のもう一つの実施例におけるチャネル推定方法のステップフロー模式図である。
【図３】図３は本発明のもう一つの実施例の一つの実施形態におけるリソース要素のチャネル係数計算のステップフロー模式図である。
【図４】図４は本発明のもう一つの実施例における第一回の時間領域補間模式図である。
【図５】図５は本発明のまた一つの実施例におけるチャネル推定方法のステップフロー模式図である。
【図６】図６は本発明のまた一つの実施例における第一回の時間領域補間模式図である。
【図７】図７は本発明の一つの実施例中の直交周波数分割多重化システムにおけるチャネル推定装置の構造模式図である。
【図８】図８は本発明のもう一つの実施例における抽出推定モジュールの構造模式図である。
【図９】図９は本発明のまた一つの実施例中の抽出推定モジュールの構造模式図である。
【図１０】図１０は本発明のまた一つの実施例の直交周波数分割多重化システムにおけるチャネル推定装置である。
【００３３】
本発明の目的の達成、機能の特徴及びメリットについては、実施例を結びつけ、図面を参照しながら、更に説明する。
【発明を実施するための形態】
【００３４】
本発明による直交周波数分割多重化システムにおけるチャネル推定方法及び装置はまず直交周波数分割多重化システムの帯域幅内の物理リソースブロック（ＰＲＢ）をいくつかのグループに分け、次に各グループの物理リソースブロックに対して順次単独にチャネル推定処理を行い、記憶の共有を達成することで、記憶量を節約する。また、各グループの物理リソースブロックチャネル推定の方法について、一方、参照信号（ＲＳ）を含むＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、直交周波数分割多重技術）符号のチャネル推定結果を最適化することによって、チャネル推定の性能を保証し、他方、参照信号を含むＯＦＤＭ符号に対して、周波数領域補間を行い、周波数領域補間の回数を減少させることで、計算の複雑度を減少させる。
【００３５】
図１を参照し、本発明の一つの実施例である直交周波数分割多重化システムにおけるチャネル推定方法を提供し、
直交周波数分割多重化システムの帯域幅内の物理リソースブロックをグループに分けるステップＳ１０と、
分けられたグループから少なくとも一つのグループを抽出してチャネル推定を行い、チャネル係数を取得し、その中、抽出したグループ数を総グループ数より少なくするステップＳ１１と、
取得したチャネル係数を利用し、ＭＩＭＯ復調を完了するステップＳ１２と、
グループへのチャネル推定が完了したかどうかを判断し、完了であれば、終了し、さもなければ、ステップＳ１１に戻すステップＳ１３とを含む。
【００３６】
ステップＳ１０に記載するように、直交周波数分割多重化システムの帯域幅がＮ個の物理リソースブロックを含み、該Ｎ個の物理リソースブロックを均一にＭグループに分け、各グループがＫ個の連続した物理リソースブロックを含み、ただし、Ｎ＝Ｍ＊Ｋであるように設定することができる。しかも、Ｍグループの物理リソースブロックを順次に１、２、…、Ｍのように番号をつける。
【００３７】
ステップＳ１１に記載するように、順次に各グループの物理リソースブロックに対してそれぞれチャネル推定を行い、チャネル係数を取得可能である。チャネル推定を行う時、まず上記グループの中から少なくとも一つのグループを抽出し、チャネル係数を計算してもよい。チャネル推定が完了した後、グループのチャネル推定が全部完了するまで、更に他の物理リソースブロックグループを抽出してチャネル推定を行う。そして毎回抽出するグループ数を総グループ数（Ｍ）より少なくする。例えば、まずグループ１〜Ｍ中の第Ｉグループを抽出してチャネル推定を行い、完了した後、更に第Ｉ＋１グループを抽出して行い、このようにして順次にグループ１〜Ｍまでのチャネル推定を完了してもよい。ここのチャネル推定は採用したチャネル推定方法に対して如何なる制限もない。
【００３８】
ステップＳ１２に記載するように、毎回チャネル推定を行った後、取得したチャネル係数を利用してＭＩＭＯ（Ｍｕｌｔｉｐｌｅ−Ｉｎｐｕｔ  Ｍｕｌｔｉｐｌｅ−Ｏｕｔ−ｐｕｔ、マルチ入力マルチ出力）復調を行い、その後、該チャネル係数を放棄する。
【００３９】
ステップＳ１３に記載するように、一回のチャネル推定を完了し、チャネル係数を取得し、且つＭＩＭＯ復調をした後、すべてのグループのチャネル推定が全部完了したかどうかを判断し、全部完了したら、終了し、さもなければ、引き続いてグループのチャネル推定（ステップＳ１１に戻す）を行い、チャネル推定が全部完了するまで、ステップＳ１１とＳ１２を循環して行う。
【００４０】
本実施例の直交周波数分割多重化システムにおけるチャネル推定方法は直交周波数分割多重化システムの帯域幅内の物理リソースブロックをグループに分け、更に各グループの物理リソースブロックに対して、順次単独にチャネル推定処理を行い、記憶の共有を達成することで、記憶量を節約する。
【００４１】
図２を参照しながら、本発明のもう一つの実施例である直交周波数分割多重化システムにおけるチャネル推定方法を提供する。その中、上記ステップＳ１１におけるチャネル推定は、
参照信号箇所のチャネル係数を推定するステップＳ１１０と、
第一回の時間領域補間を行い、参照信号を含むＯＦＤＭ符号における参照信号の密度を１／３に変え、参照信号を含むＯＦＤＭ符号におけるリソース要素のチャネル係数を計算するステップＳ１１１と、
参照信号を含むＯＦＤＭ符号に対して３倍のアップサンプリングの周波数領域補間を行い、参照信号を含むＯＦＤＭ符号におけるチャネル係数を取得するステップＳ１１２と、
第二回の時間領域補間を行い、参照信号を含むＯＦＤＭ符号におけるチャネル係数を利用し、参照信号を含まないＯＦＤＭ符号のチャネル係数を計算し、すべてのＯＦＤＭ符号におけるチャネル係数を取得するステップＳ１１３とを含む。
【００４２】
ステップＳ１１０に記載するように、まず参照信号（ＲＳ）箇所のチャネル係数を推定する必要がある。
【００４３】
ステップＳ１１１に記載するように、第一回の時間領域補間過程において、参照信号を含むＯＦＤＭ符号におけるチャネル係数だけ計算する。
【００４４】
図３を参照し、本実施例の一つの実施形態において、上記リソース要素のチャネル係数の計算は、
現在のサブフレーム内の第一番目のＯＦＤＭ符号におけるリソース要素であるかどうかを判断し、そうであれば、ステップＳ１１１１を行い、さもなければ、ステップＳ１１１２を行うステップＳ１１１０と、
リソース要素の一つ前のサブフレームがダウンリンクサブフレームであるかどうかを判断し、そうであれば、ステップＳ１１１２を行い、さもなければ、ステップＳ１１１３を行うステップＳ１１１１と、
上記リソース要素の一つ前のリソース要素及び一つ後ろのリソース要素のチャネル係数を利用し、上記リソース要素のチャネル係数を線状補間するステップＳ１１１２と、
上記リソース要素の後の二つのリソース要素のチャネル係数を利用し、線状予測して取得するステップＳ１１１３とを含む。
【００４５】
リソース要素のチャネル係数を計算する時、まずリソース要素の情報を区別し、次にリソース要素の情報に基づき、リソース要素のチャネル係数を計算してもよい。上記情報は現在のサブフレーム内の第一番目のＯＦＤＭ符号におけるリソース要素であるかどうか及び一つ前のサブフレームがダウンリンクサブフレームであるかどうか等を含んでもよい。
【００４６】
図４を参照し、第一回の時間領域補間は０＃、４＃、７＃及び１１＃のＯＦＤＭ符号におけるリソース要素（ＲＥ）のチャネル係数を計算する必要があり、図４における斜線で示す部分の通りである。斜線充填部分を含む現在のサブフレームの一つ前のサブフレームがダウンリンクサブフレームであれば、時間領域補間過程は図４の実線で示すように、矢印開始位置（Ｒ９１とＲ９２、又はＲ３１とＲ３２）箇所の参照信号のチャネル係数を利用し、矢印が指向するリソース要素箇所のチャネル係数を線状補間する。一つ前のサブフレームがダウンリンクサブフレームではなければ、０＃のＯＦＤＭ符号のチャネル係数は点線矢印開始位置（Ｒ９２とＲ９３、又はＲ３２とＲ３３）箇所の参照信号のチャネル係数を利用し、線状予測して取得される必要となり、他のリソース要素のチャネル係数の計算は一つ前のサブフレームがダウンリンクフレームである時と一致する。
【００４７】
ステップＳ１１２に示すように、参照信号を含むＯＦＤＭ符号によって３倍のアップサンプリングの周波数領域補間を行い、参照信号を含むＯＦＤＭ符号におけるチャネル係数を取得する。該サンプリングはＦＩＲ（Ｆｉｎｉｔｅ  Ｉｍｐｕｌｓｅ  Ｒｅｓｐｏｎｓｅ、有限インパルス応答）フィルタ、或はＩＦＦＴ（Ｉｎｖｅｒｓｅ  Ｆａｓｔ  Ｆｏｕｒｉｅｒ  Ｔｒａｎｓｆｏｒｍ、逆高速フーリエ変換）／  ＦＦＴ（Ｆａｓｔ  Ｆｏｕｒｉｅｒ  Ｔｒａｎｓｆｏｒｍ、高速フーリエ変換）補間を採用して実現できる。
【００４８】
ステップＳ１１３に記載するように、参照信号を含むＯＦＤＭ符号におけるチャネル係数を取得した後、次に第二回の時間領域補間を行い、参照信号を含むＯＦＤＭ符号におけるチャネル係数を利用し、参照信号を含まないＯＦＤＭ符号におけるチャネル係数を計算することで、すべてのＯＦＤＭ符号におけるチャネル係数を取得する。
【００４９】
上記時間領域或は周波数領域補間はＬＴＥ（Ｌｏｎｇ  Ｔｅｒｍ  Ｅｖｏｌｕｔｉｏｎ、長期的な進化）プロトコルの規定を参考にして行うことができる。
【００５０】
本実施例による直交周波数分割多重化システムにおけるチャネル推定方法は参照信号を含むＯＦＤＭ符号のチャネル推定結果を最適化することで、チャネル推定の性能を保証する。
【００５１】
図５を参照し、本発明のもう一つの実施例である直交周波数分割多重化システムにおけるチャネル推定方法を提供する。その中、上記チャネル推定は、
参照信号箇所のチャネル係数を推定するステップＳ１２０と、
参照信号を含むＯＦＤＭ符号に対して、６倍のアップサンプリングの周波数領域補間を行い、参照信号を含むＯＦＤＭ符号におけるチャネル係数を取得するステップＳ１２１と、
第一回の時間領域補間を行い、参照信号を含むＯＦＤＭ符号におけるチャネル係数を修正するステップＳ１２２と、
第二回の時間領域補間を行い、参照信号を含むＯＦＤＭ符号におけるチャネル係数を利用し、参照信号を含まないＯＦＤＭ符号におけるチャネル係数を計算することで、すべてのＯＦＤＭ符号におけるチャネル係数を取得するステップＳ１２３とを含む。
【００５２】
ステップＳ１２０に記載するように、まず参照信号（ＲＳ）箇所のチャネル係数を推定する必要がある。
【００５３】
ステップＳ１２１に記載するように、参照信号を含むＯＦＤＭ符号に対して、６倍のアップサンプリング周波数領域補間を行うことで、参照信号を含むＯＦＤＭ符号におけるチャネル係数を取得する。該サンプリングはＦＩＲフィルタ或はＩＦＦＴ／ＦＦＴ補間を採用して実現可能である。
【００５４】
ステップＳ１２２に記載するように、参照信号を含むＯＦＤＭ符号における周波数領域補間結果を取得した後、第一回の時間領域補間を開始し、参照信号を含む（０＃、４＃、７＃及び１１＃）ＯＦＤＭ符号におけるチャネル係数を修正する。
【００５５】
図６を参照し、現在のサブフレーム０＃のＯＦＤＭ符号のチャネル推定を修正する時、一つ前のサブフレームがダウンリンクサブフレームであれば、一つ前のサブフレーム１１＃のＯＦＤＭ符号と現在のサブフレーム４＃のＯＦＤＭ符号を利用し、現在のサブフレーム０＃のＯＦＤＭ符号を線状補間し、更に現在のサブフレーム０＃のＯＦＤＭ符号自身のチャネル推定を加算する。一つ前のサブフレームがダウンリンクサブフレームでなければ、現在のサブフレーム４＃のＯＦＤＭ符号と現在のサブフレーム１１＃のＯＦＤＭ符号を利用し、現在のサブフレーム０＃のＯＦＤＭ符号を線状補間し、更に現在のサブフレーム０＃のＯＦＤＭ符号自身のチャネル推定を加算する。計算式
【００５６】
【数８】
0005548785.tif 000009
【００５７】
の通りであり、ただし、
【００５８】
【数９】
0005548785.tif 000010
【００５９】
であり、
【００６０】
【数１０】
0005548785.tif 000011
【００６１】
であり、
【００６２】
【数１１】
0005548785.tif 000012
【００６３】
であり、
【００６４】
【数１２】
0005548785.tif 000013
【００６５】
は単独のサブフレーム内のＯＦＤＭ符号の数であり、
【００６６】
【数１３】
0005548785.tif 000014
【００６７】
は修正する前の現在のサブフレームｌ１’＃のＯＦＤＭ符号の第ｋ番目のサブ搬送波のチャネル推定値を表し、
【００６８】
【数１４】
0005548785.tif 000015
【００６９】
は修正した後の現在のサブフレームｌ１＃のＯＦＤＭ符号の第ｋ番目のサブ搬送波のチャネル推定値を表し、ｉは現在のサブフレームを表し、ｉ−１は一つ前のサブフレームを表し、ｋはサブ搬送波の配列位置を表し、ここは０＃のＯＦＤＭ符号の第ｋ番目のサブ搬送波である。
【００７０】
一つ前のサブフレームがダウンリンクサブフレームであれば、ｌ０＝−３、ｌ１＝０、ｌ２＝４と設定し、計算式（１）に入れ、チャネル係数を計算する。
【００７１】
一つ前のサブフレームがダウンリンクサブフレームでなければ、ｌ０＝１１、ｌ１＝０、ｌ２＝４と設定し、計算式（１）に入れ、チャネル係数を計算する。
【００７２】
現在のサブフレーム４＃のＯＦＤＭ符号のチャネル推定を修正する時、現在のサブフレーム７＃のＯＦＤＭ符号と現在のサブフレーム０＃のＯＦＤＭ符号を利用し、現在のサブフレーム４＃のＯＦＤＭ符号を線状補間でき、更に現在のサブフレーム４＃のＯＦＤＭ符号自身のチャネル推定を加算し、即ちｋ＝４となる。計算式（１）でチャネル係数を計算でき、ｌ０＝０、ｌ１＝４、ｌ２＝７と設定し、計算式（１）に入れ、計算する。
【００７３】
現在のサブフレーム７＃のＯＦＤＭ符号のチャネル推定を修正する時、現在のサブフレーム４＃のＯＦＤＭ符号と現在のサブフレーム１１＃のＯＦＤＭ符号を利用し、現在のサブフレーム７＃のＯＦＤＭ符号を線状補間でき、更に現在のサブフレーム７＃のＯＦＤＭ符号自身のチャネル推定を加算し、即ちｋ＝７となる。計算式（１）でチャネル係数を計算でき、ｌ０＝４、ｌ１＝７、ｌ２＝１１と設定し、計算式（１）に入れ、計算する。
【００７４】
現在のサブフレーム１１＃のＯＦＤＭ符号のチャネル推定を修正する時、現在のサブフレーム７＃のＯＦＤＭ符号と一つ後ろのサブフレーム０＃のＯＦＤＭ符号を利用し、現在のサブフレーム１１＃のＯＦＤＭ符号を線状補間でき、更に現在のサブフレーム１１＃のＯＦＤＭ符号自身のチャネル推定を加算し、即ちｋ＝１１となる。計算式（１）を使用し、チャネル係数を計算でき、ｌ０＝７、ｌ１＝１１、ｌ２＝１４と設定し、計算式（１）に入れ、計算する。
【００７５】
一つ後ろのサブフレーム０＃のＯＦＤＭ符号のチャネル推定を修正する時、現在のサブフレーム１１＃のＯＦＤＭ符号と一つ後ろのサブフレーム４＃のＯＦＤＭ符号を利用し、一つ後ろのサブフレーム０＃のＯＦＤＭ符号を線状補間でき、更に一つ後ろのサブフレーム０＃のＯＦＤＭ符号自身のチャネル推定を加算する。計算式（１）を使用し、チャネル係数を計算でき、ｌ０＝１１、ｌ１＝１４、ｌ２＝１８と設定し、計算式（１）に入れ、計算する。
【００７６】
ステップＳ１２３に記載するように、第一回の時間領域補間を完了した後、第二回の時間領域補間を開始し、参照信号を含むＯＦＤＭ符号におけるチャネル係数を利用し、参照信号を含まないＯＦＤＭ符号におけるチャネル係数を計算することで、すべてのＯＦＤＭ符号におけるチャネル係数を取得できる。
【００７７】
本実施例による直交周波数分割多重化システムにおけるチャネル推定方法は参照信号を含むＯＦＤＭ符号だけ、周波数領域補間を行うことで、周波数領域補間の回数を減少させ、それにより、計算の複雑度を減少させる。
【００７８】
図７を参照し、本発明の一実施例である直交周波数分割多重化システムにおけるチャネル推定装置２０を提供し、
直交周波数分割多重化システムの帯域幅内の物理リソースブロックをグループに分けるグループ分けモジュール２１と、
分けられたグループから少なくとも一つのグループを抽出してチャネル推定を行い、チャネル係数を取得し、その中、抽出したグループ数を総グループ数より少なくする抽出推定モジュール２２と、
抽出推定モジュール２２が取得したチャネル係数を利用し、ＭＩＭＯ復調を完了するチェックモジュール２３と、
グループへのチャネル推定が完了したかどうかを判断し、チャネル推定が未完了の時、抽出推定モジュール２２に引き続いてグループを抽出し、チャネル推定を行うように通知する判断モジュール２４とを含む。
【００７９】
上記グループ分けモジュール２１は直交周波数分割多重化システムの帯域幅がＮ個の物理リソースブロックを含み、該Ｎ個の物理リソースブロックをＭグループに等分し、各グループがＫ個の連続する物理リソースブロックを含み、その中にＮ＝Ｍ＊Ｋであると設定できる。且つＭグループのリソースブロックを順次に１、２、…、Ｍのように番号をつける。
【００８０】
上記抽出推定モジュール２２は順次に各グループの物理リソースブロックに対して、それぞれチャネル推定を行い、チャネル係数を取得する。チャネル推定を行う時、まず上記グループ中から少なくとも一つのグループを抽出してチャネル係数を計算し、チャネル推定が完了した後、次に他の物理リソースブロックグループを抽出し、グループのチャネル推定が全部完了するまでチャネル推定を行う。しかも毎回抽出するグループ数を総グループ数（Ｍ）より小さくする。例えば、まずグループ１〜Ｍ中の第Ｉグループを抽出してチャネル推定を行い、完了した後、次に第Ｉ＋１グループを抽出して行い、このように順次にグループ１〜Ｍまでのチャネル推定を完了する。ここのチャネル推定は使用するチャネル推定方法にいかなる制限もない。
【００８１】
上記チェックモジュール２３は毎回チャネル推定を行った後、抽出推定モジュール２２が取得したチャネル係数を利用し、ＭＩＭＯ（Ｍｕｌｔｉｐｌｅ−Ｉｎｐｕｔ  Ｍｕｌｔｉｐｌｅ−Ｏｕｔ−ｐｕｔ、マルチ入力マルチ出力）復調を完了できる。
【００８２】
上記判断モジュール２４は一回のチャネル推定を完了し、チャネル係数を獲得し、且つＭＩＭＯ復調をした後、すべてのグループのチャネル推定が全部完了したかどうかを判断し、全部完了すれば、終了し、さもなければ、引き続いてグループのチャネル推定を行い、チャネル推定が全部終了するまでチャネル推定及びチェックを循環して行う。
【００８３】
本実施例の直交周波数分割多重化システムにおけるチャネル推定装置２０は直交周波数分割多重化システムの帯域幅内の物理リソースブロックをいくつかのグループに分け、次に各グループの物理リソースブロック対して、順次単独にチャネル推定処理を行い、記憶の共有を達成することで、記憶量を節約する。
【００８４】
図８を参照し、本発明のもう一つの実施例である直交周波数分割多重化システムにおけるチャネル推定装置２０を提供し、上記抽出推定モジュール２２は、
参照信号箇所のチャネル係数を推定する第一推定ユニット２２１と、
第一回の時間領域補間を行い、参照信号を含むＯＦＤＭ符号における参照信号の密度を１／３に変え、参照信号を含むＯＦＤＭ符号におけるリソース要素のチャネル係数を計算する第一時間領域補間ユニット２２２と、
参照信号を含むＯＦＤＭ符号に対して３倍のアップサンプリングの周波数領域補間を行い、参照信号を含むＯＦＤＭ符号におけるチャネル係数を取得する第一周波数領域補間ユニット２２３と、
第二回の時間領域補間を行い、参照信号を含むＯＦＤＭ符号におけるチャネル係数を利用し、参照信号を含まないＯＦＤＭ符号のチャネル係数を計算することで、すべてのＯＦＤＭ符号におけるチャネル係数を取得する第二時間領域補間ユニット２２４とを含む。
【００８５】
上記第一推定ユニット２２１は参照信号（ＲＳ）箇所のチャネル係数を推定する必要がある。
【００８６】
上記第一時間領域補間ユニット２２２は第一回の時間領域補間過程に、参照信号を含むＯＦＤＭ符号におけるチャネル係数を計算する。
【００８７】
図９を参照し、上記第一時間領域補間ユニット２２２は第一判断サブユニット２２２１、第二判断サブユニット２２２２、第一計算サブユニット２２２３及び第二計算サブユニット２２２４を含んでもよく、該第一判断サブユニット２２２１は現在のサブフレーム内の第一番目のＯＦＤＭ符号におけるリソース要素であるかどうかを判断し、該第二判断サブユニット２２２２は現在のサブフレーム内の第一番目のＯＦＤＭ符号におけるリソース要素の一つ前のサブフレームがダウンリンクサブフレームであるかどうかを判断し、該第一計算サブユニット２２２３は上記リソース要素の一つ前のリソース要素及び一つ後ろのリソース要素のチャネル係数を利用し、上記リソース要素のチャネル係数を線状補間し、該第二計算サブユニット２２２４は上記リソース要素の後の二つのリソース要素のチャネル係数を利用し、線状予測して取得する。
【００８８】
まず第一判断サブユニット２２２１によって、計算するリソース要素が現在のサブフレーム内の第一番目のＯＦＤＭ符号におけるリソース要素であるかどうかを判断でき、そうであれば、更に第二判断サブユニット２２２２を利用し、リソース要素の一つ前のサブフレームがダウンリンクサブフレームであるかどうかを判断し、さもなければ、第一計算サブユニット２２２３によって、上記リソース要素の一つ前のリソース要素及び一つ後ろのリソース要素のチャネル係数を利用し、上記リソース要素のチャネル係数を線状補間し、上記リソース要素の一つ前のサブフレームがダウンリンクサブフレームであると、第一計算サブユニット２２２３によって、上記リソース要素の一つ前のリソース要素及び一つ後ろのリソース要素のチャネル係数を利用し、上記リソース要素のチャネル係数を線状補間し、さもなければ、第二計算サブユニット２２２４によって、上記リソース要素の後の二つのリソース要素のチャネル係数を利用し、線状予測して取得する。
【００８９】
リソース要素のチャネル係数を計算する時、まずリソース要素の情報を区別し、次にリソース要素の情報によって、リソース要素のチャネル係数を計算する。上記情報は現在のサブフレーム内の第一番目のＯＦＤＭ符号におけるリソース要素であるかどうか及び一つ前のサブフレームがダウンリンクサブフレームであるかどうか等を含んでもよい。
【００９０】
図４を参照し、第一回の時間領域補間は０＃、４＃、７＃及び１１＃のＯＦＤＭ符号におけるリソース要素（ＲＥ）のチャネル係数を計算する必要があり、図４中の斜線充填部分が示す通りである。灰色部分を含む現在のサブフレームの一つ前のサブフレームがダウンリンクサブフレームであれば、時間領域補間過程は図４中の実線が示すように、矢印開始位置（Ｒ９１とＲ９２、或はＲ３１とＲ３２）箇所の参照信号チャネル係数を利用し、矢印が指しているリソース要素箇所のチャネル係数を線状補間する。一つ前のサブフレームがダウンリンクサブフレームでなければ、０＃のＯＦＤＭ符号のチャネル係数は点線矢印開始位置（Ｒ９２とＲ９３、或はＲ３２とＲ３３）箇所の参照信号のチャネル係数を利用し、線状補間して取得される必要があり、他のリソース要素のチャネル係数の計算は一つ前のサブフレームがダウンリンクフレームである時と一致する。
【００９１】
上記第一周波数領域補間ユニット２２３は参照信号を含むＯＦＤＭ符号によって３倍のアップサンプリング周波数領域補間を行い、参照信号を含むＯＦＤＭ符号におけるチャネル係数を取得できる。
【００９２】
上記第二時間領域補間ユニット２２４は参照信号を含むＯＦＤＭ符号におけるチャネル係数を取得した後、次に第二回の時間領域補間を行い、参照信号を含むＯＦＤＭ符号におけるチャネル係数を利用し、参照信号を含まないＯＦＤＭ符号のチャネル係数を計算することで、すべてのＯＦＤＭ符号におけるチャネル係数を取得する。
【００９３】
本実施例の直交周波数分割多重化システムにおけるチャネル推定装置２０は参照信号を含むＯＦＤＭ符号のチャネル推定結果を最適化することでチャネル推定の性能を保証する。
【００９４】
図１０を参照し、本発明のもう一つの実施例である直交周波数分割多重化システムにおけるチャネル推定装置２０を提供し、上記抽出推定モジュール２２は、
参照信号箇所のチャネル係数を推定する第二推定ユニット２３１と、
参照信号を含むＯＦＤＭ符号に対して、６倍のアップサンプリングの周波数領域補間を行い、参照信号を含むＯＦＤＭ符号におけるチャネル係数を取得する第二周波数領域補間ユニット２３２と、
第一回の時間領域補間を行い、参照信号を含むＯＦＤＭ符号におけるチャネル係数を修正する第三時間領域補間ユニット２３３と、
第二回の時間領域補間を行い、参照信号を含むＯＦＤＭ符号におけるチャネル係数を利用し、参照信号を含まないＯＦＤＭ符号のチャネル係数を計算することで、すべてのＯＦＤＭ符号におけるチャネル係数を取得する第四時間領域補間ユニット２３４とを含む。
【００９５】
上記第二推定ユニット２３１は参照信号（ＲＳ）箇所のチャネル係数を推定する必要がある。
【００９６】
上記第二周波数領域補間ユニット２３２は参照信号を含むＯＦＤＭ符号に対して、６倍のアップサンプリング周波数領域補間を行うことで、参照信号を含むＯＦＤＭ符号におけるチャネル係数を取得する。
【００９７】
上記第三時間領域補間ユニット２３３は参照信号を含むＯＦＤＭ符号における周波数領域補間結果を取得した後、第一回の時間領域補間を開始し、参照信号を含む（０＃、４＃、７＃及び１１＃）ＯＦＤＭ符号におけるチャネル係数を修正する。
【００９８】
図６を参照し、現在のサブフレーム０＃のＯＦＤＭ符号のチャネル推定を修正する時、その一つ前のサブフレームがダウンリンクサブフレームであれば、一つ前のサブフレーム１１＃のＯＦＤＭ符号と現在のサブフレーム４＃のＯＦＤＭ符号を利用し、現在のサブフレーム０＃のＯＦＤＭ符号を線状補間し、更に現在のサブフレーム０＃のＯＦＤＭ符号自身のチャネル推定を加算する。一つ前のサブフレームがダウンリンクサブフレームでなければ、現在のサブフレーム４＃のＯＦＤＭ符号と現在のサブフレーム１１＃のＯＦＤＭ符号を利用し、現在のサブフレーム０＃のＯＦＤＭ符号を線状補間し、更に現在のサブフレーム０＃のＯＦＤＭ符号自身のチャネル推定を加算する。計算式
【００９９】
【数１５】
0005548785.tif 000016
【０１００】
の通りであり、
ただし、
【０１０１】
【数１６】
0005548785.tif 000017
【０１０２】
であり、
【０１０３】
【数１７】
0005548785.tif 000018
【０１０４】
であり、
【０１０５】
【数１８】
0005548785.tif 000019
【０１０６】
であり、
【０１０７】
【数１９】
0005548785.tif 000020
【０１０８】
は単独のサブフレーム内のＯＦＤＭ符号の数であり、
【０１０９】
【数２０】
0005548785.tif 000021
【０１１０】
は修正する前の現在のサブフレームｌ１’＃のＯＦＤＭ符号の第ｋ番目のサブ搬送波のチャネル推定値を表し、
【０１１１】
【数２１】
0005548785.tif 000022
【０１１２】
は修正した後の現在のサブフレームｌ１＃のＯＦＤＭ符号の第ｋ番目のサブ搬送波のチャネル推定値を表し、ｉは現在のサブフレームを表し、ｉ−１は一つ前のサブフレームを表し、ｋはサブ搬送波の配列位置を表し、ここでは０＃のＯＦＤＭ符号の第ｋ番目のサブ搬送波である。
【０１１３】
一つ前のサブフレームがダウンリンクサブフレームであれば、ｌ０＝−３、ｌ１＝０、ｌ２＝４と設定し、計算式（１）に入れ、チャネル係数を計算する。
【０１１４】
一つ前のサブフレームがダウンリンクサブフレームでなければ、ｌ０＝１１、ｌ１＝０、ｌ２＝４と設定し、計算式（１）に入れ、チャネル係数を計算する。
【０１１５】
現在のサブフレーム４＃ＯＦＤＭ符号のチャネル推定を修正する時、現在のサブフレーム７＃のＯＦＤＭ符号と現在のサブフレーム０＃のＯＦＤＭ符号を利用し、現在のサブフレーム４＃のＯＦＤＭ符号を線状補間でき、更に現在のサブフレーム４＃のＯＦＤＭ符号自身のチャネル推定を加算し、即ちｋ＝４となる。計算式（１）でチャネル係数を計算でき、ｌ０＝０、ｌ１＝４、ｌ２＝７と設定し、計算式（１）に入れ、計算する。
【０１１６】
現在のサブフレーム７＃のＯＦＤＭ符号のチャネル推定を修正する時、現在のサブフレーム４＃のＯＦＤＭ符号と現在のサブフレーム１１＃のＯＦＤＭ符号を利用し、現在のサブフレーム７＃のＯＦＤＭ符号を線状補間でき、更に現在のサブフレーム７＃のＯＦＤＭ符号自身のチャネル推定を加算し、即ちｋ＝７となる。計算式（１）でチャネル係数を計算でき、ｌ０＝４、ｌ１＝７、ｌ２＝１１と設定し、計算式（１）に入れ、計算する。
【０１１７】
現在のサブフレーム１１＃ＯＦＤＭ符号のチャネル推定を修正する時、現在のサブフレーム７＃のＯＦＤＭ符号と一つ後ろのサブフレーム０＃のＯＦＤＭ符号を利用し、現在のサブフレーム１１＃のＯＦＤＭ符号を線状補間でき、更に現在のサブフレーム１１＃のＯＦＤＭ符号自身のチャネル推定を加算し、即ちｋ＝１１となる。計算式（１）を使用し、チャネル係数を計算でき、ｌ０＝７、ｌ１＝１１、ｌ２＝１４と設定し、計算式（１）に入れ、計算する。
【０１１８】
一つ後ろのサブフレーム０＃のＯＦＤＭ符号のチャネル推定を修正する時、現在のサブフレーム１１＃のＯＦＤＭ符号と一つ後ろのサブフレーム４＃のＯＦＤＭ符号を利用し、一つ後ろのサブフレーム０＃のＯＦＤＭ符号を線状補間でき、更に一つ後ろのサブフレーム０＃のＯＦＤＭ符号自身のチャネル推定を加算する。計算式（１）を使用し、チャネル係数を計算でき、ｌ０＝１１、ｌ１＝１４、ｌ２＝１８と設定し、計算式（１）に入れ、計算する。
【０１１９】
上記第四時間領域補間ユニット２３４は第一回の時間領域補間を完了した後、第二回の時間領域補間を開始し、参照信号を含むＯＦＤＭ符号におけるチャネル係数を利用し、参照信号を含まないＯＦＤＭ符号のチャネル係数を計算でき、それによって、すべてのＯＦＤＭ符号におけるチャネル係数を得る。
【０１２０】
本実施例の直交周波数分割多重化システムにおけるチャネル推定装置２０は参照信号を含むＯＦＤＭ符号だけ周波数領域補間を行うことで、周波数領域補間の回数を減少させ、それによって、計算の複雑度を減少させる。
【０１２１】
以上、単に本発明の好適な実施例だけで、それにより本発明の特許範囲を制限するものではなく、本発明の明細書及び図面の内容を利用して作ったすべての同等構造や同等効果のフロー変換、又は直接や間接に他の関連技術分野における運用は全部同様の理由で本発明の特許保護範囲に含まれるものとする。
【図１】
0005548785.tif 000030
【図２】
0005548785.tif 000031
【図３】
0005548785.tif 000032
【図４】
0005548785.tif 000033
【図５】
0005548785.tif 000034
【図６】
0005548785.tif 000035
【図７】
0005548785.tif 000036
【図８】
0005548785.tif 000037
【図９】
0005548785.tif 000038
【図１０】
0005548785.tif 000039